(57)【要約】【課題】コロトロンやスコロトロン等の荷電装置をマシン内の電圧源に接続するためのコネクタを提供する。【解決手段】印刷装置にて使用可能な荷電装置例えばスコロトロン１０の端部を、エンドブロック２８及びカバーブロックにより構成する。エンドブロック２８内にはそれぞれコロナ部材２０、２２又は２４の一部を概ね包むチャネル３０、３２及び３４を設ける。コロナ部材２０、２２及び２４はそれぞれ開口２１、２３又は２５を有しており、導電ピン４０はこれら開口２１、２３及び２５と噛み合うことによってエンドブロック２８にしっかり固定される。カバーブロックは、エンドブロック２８内のチャネル３０、３２及び３４を概ね覆うよう、エンドブロック２８に組み付けられる。【選択図】図３
2006039548.tif 000002
【特許請求の範囲】
【請求項１】
下記導電ピンの一部と噛み合う開口をそれぞれ有する第１及び第２コロナ部材と、
それぞれコロナ部材の一部を概ね包むチャネルを少なくとも２個その内部に有するエンドブロックと、
その一部がエンドブロックにしっかり固定された導電ピンと、
エンドブロック内のチャネルを概ね覆うカバーブロックと、
を備え、印刷装置にて使用可能な荷電装置。
【請求項２】
請求項１記載の荷電装置において、導電ピンの輪郭に丸みがない荷電装置。
【請求項３】
請求項１記載の荷電装置において、第１コロナ部材の開口が第２コロナ部材の開口と整列された荷電装置。
【請求項４】
請求項１記載の荷電装置において、第１コロナ部材の開口が、導電ピンに押されて反り返っている少なくとも１個のフラップを有する荷電装置。
【発明の詳細な説明】
【技術分野】
【０００１】
本発明は、電子写真印刷装置に関し、特に、コロトロン(corotron)やスコロトロン(sorotron)等の荷電装置をマシン内の電圧源に接続するためのコネクタに関する。
【背景技術】
【０００２】
図１は、静電画像乃至電子写真印刷装置１００の一部構成要素を示す概略立断面図である。この種の印刷装置１００においては、周知の通り、回転する電荷レセプタ例えばフォトレセプタ１０２上に静電潜像を形成する。ここではドラム状のフォトレセプタ１０２を示しているが、これはベルト状にすることもできる。フォトレセプタ１０２の周りには、図示こそしていないが、露出、現像、清掃等、電子写真方式にて親しく用いられている様々なステーションが配置されている。なお、本願中、「印刷装置」という用語は、印刷用のマシンやコピアの全体を指す用語としても、またフォトレセプタ等を含み大規模マシン内に組み入れることが可能な可換ユニットを指す用語としても、用いられている。
【０００３】
フォトレセプタ１０２の周りには、フォトレセプタ１０２を初期荷電するためや、フォトレセプタ１０２上の印刷素材を印刷シート上に転写するために、フォトレセプタ１０２に対して電界を印加するステーションを１個又は複数個設けるのが望ましい。印刷装置１００にてそういった目的に共通して使用される装置としては、フォトレセプタ１０２の一部に対し電荷を送給する荷電装置、例えばスコロトロンと呼ばれるものがある。図示されているスコロトロン１０は３個のコロナ部材２０、２２及び２４を有しており、これらコロナ部材２０、２２及び２４は、何れも、図示しない手段によって電気的にバイアスされたときに電界を放射する裸の導電部材、例えばワイヤやリボンである。また、コロナ部材２０、２２及び２４とフォトレセプタ１０２のコロナ部材側の面との間には、スクリーン２６が配置されている。スクリーン２６を例えば外部電源によりバイアスすることによって、コロナ部材２０、２２及び２４からフォトレセプタ１０２に至る電界の向きを、制御乃至調整することができる。
【発明の開示】
【０００４】
本発明の一実施形態に係る荷電装置（例えばスコロトロン）は、印刷装置にて使用可能な荷電装置であり、第１及び第２コロナ部材、エンドブロック、導電ピン並びにカバーブロックを備える。エンドブロックの内部には、それぞれコロナ部材の一部を概ね包むチャネルが少なくとも２個、形成される。導電ピンは、その一部が、エンドブロックにしっかり固定される。第１及び第２コロナ部材は、それぞれ、導電ピンの一部と噛み合う開口を有する。カバーブロックは、エンドブロック内のチャネルを概ね覆う。
【発明を実施するための最良の形態】
【０００５】
図２に、本発明の一実施形態に係り図１に示した印刷装置１００にて使用可能なスコロトロン１０をそれ単体で示す。図では隠れているが、このスコロトロン１０には何個かのコロナ部材が設けられており、またこのスコロトロン１０にはスクリーン２６が一体化されている。これら、コロナ部材及びスクリーン２６は、スコロトロン１０が印刷装置１００内に実装されている状態では、フォトレセプタ１０２の幅方向に沿って延びることとなる。スコロトロン１０と、印刷装置１００内の電圧源との電気的接続は、後に詳述する通り導電ピン４０等を介して行われる。
【０００６】
図３、図４、図７及び図８は、各組立段階におけるスコロトロン１０の端部、特に印刷装置１００内の電圧源（図示せず）にコロナ部材２０、２２及び２４を電気的に接続する側の端部を、示す斜視図である。
【０００７】
スコロトロン１０は、図示されている端部の主体構成部品として、エンドブロック２８を備えている。エンドブロック２８の大部分は絶縁素材、例えばプラスチックから形成されている。本実施形態におけるエンドブロック２８は、その内部に別々の３個のチャネル３０、３２及び３４を有している。他方、本実施形態におけるコロナ部材２０、２２及び２４はそれぞれ概ね平坦な導電リボンの形態を有しており、その一部はエンドブロック２８内に入り込んでおり、それぞれチャネル３０、３２及び３４のうち対応する一つのチャネル内へと延びている。チャネル３０、３２及び３４は、それぞれコロナ部材２０、２２及び２４のうち対応する一つを概ね包んでいるが、チャネルとコロナ部材とを接触させる必要まではなく、その間隔を近めにする程度でよかろう。また、コロナ部材２０、２２及び２４は、その長手方向に沿って複数のピンを鋸歯状に且つ等間隔に並べた部分、即ちピンアレイを有しているが、コロナ部材２０、２２及び２４のうちエンドブロック２８内に位置している部分にはこのピンアレイが設けられていない。更に、コロナ部材やチャネルは互いの個数に応じて少なくとも２個設ければよく、３個に限定されない。
【０００８】
エンドブロック２８内には、平坦な鋤状の導電ピン４０の一部がしっかり固定される。図３に示す組立段階では導電ピン４０がエンドブロック２８内にまだほとんど差し込まれていないが、図４に示す組立段階では導電ピン４０の一端がエンドブロック２８内に既に完全に固定されている。看取できるように、本実施形態における導電ピン４０には円筒状の部分やネジ状の部分がなく、況やその輪郭即ち断面形状には丸みすらない。また、コロナ部材２０、２２及び２４の端部にはそれぞれ似通った形状の開口２１、２３及び２５が互いに整列して（連通するよう）設けられており、導電ピン４０の一部がこれらを貫いて差し込まれている。例えば、コロナ部材２０の端部に設けられた開口２１に導電ピン４０の一部が差し込まれ噛み合うことは、図３から看取できようし、またコロナ部材２２の端部に設けられた開口２３やコロナ部材２４の端部に設けられた開口２５にも同じ部分が差し込まれ噛み合うことは（図から明らかには看取できないにせよ）明察できよう。
【０００９】
図５に、コロナ部材２０の一端を取り出し、そこに設けられている開口２１の形状を示す。この開口２１は動物の骨のような形状を有しており、この開口２１の縁には少なくとも１個の（図の例では一対の）フラップ２９が形成されている。コロナ部材２０を形成している金属には弾性があり、またこのフラップ２９は導電ピン４０が開口２１に差し込まれたときに曲がるようその寸法及び形状が設定されているため、組立が終わった段階では、フラップ２６は導電ピン４０に押されて反り返り、他方、導電ピン４０は反り返ったフラップ２６から押圧されることとなる。また、前述の通りコロナ部材２２及び２４にも開口２３及び２５があり、コロナ部材２０、２２及び２４は、その開口２１、２３及び２５が一連なりに整列するよう、即ちその開口２１、２３及び２５に導電ピン４０を差し込むことができるよう、組み上げられる。開口２３及び２５も開口２１と同様の構成を有しており、従って開口２１におけるフラップ２９と同様の寸法、形状、個数のフラップを有しているため、導電ピン４０は、開口２１との接触部位だけでなく開口２３との接触部位や開口２５との接触部位においても、フラップから押圧を受けることになる。但し、開口２１、２３及び２５の全てにフラップを設ける必要はない（いずれかの１個の開口に設けるのみでもよい）。
【００１０】
図６に、単体のカバーブロック４２を示す。カバーブロック４２は、例えば、プラスチック等の絶縁素材から形成された単一片であり、カラー４４及び一組のラグ４６（図７参照）を有している。図４に示した組立段階に続く図７の組立段階においては、チャネル３０、３２及び３４がカバーブロック４２によって概ね覆われるよう、且つ導電ピン４０が部分的にカラー４４によって包まれるよう、カバーブロック４２がエンドブロック２８上に組み付けられる。図６及び図７から看取できるように、カバーブロック４２は少なくとも１個の可撓性ディテント（戻り防止用のツメ又はこれに類する部材）５０を有しており、カバーブロック４２の組み付けに際しては、このディテント５０がエンドブロック２８側のノッチ５２と噛み合うようにする。ディテント５０及びノッチ５２をこのように噛み合わせることによって、特に道具なしでも、エンドブロック２８とカバーブロック４２とを互いに堅固にとじ合わせることができる。なお、エンドブロック２８側にディテントを設けカバーブロック４２にノッチを設けるようにすることも可能である。ディテントやノッチに代替する手段もあり得る。
【００１１】
図７に示した組立段階に続く図８の組立段階においては、看取できるように、スコロトロン１０の本体上にスクリーン２６が実装され、その際、スクリーン２６の一端に設けられた開口４８にラグ４６が嵌め込まれる。図示の如くラグ４６を嵌め合わせることによって、スクリーン２６に対してある程度の（小さめの）張力を作用させることができる。更に、図６及び図７から看取できるように、カバーブロック４２の上、ラグ４６とラグ４６との間には、より小さめのラグ４７が幾つか設けられている。これらのラグ４７によって、スクリーン２６とスコロトロン１０の他の部分との間隔を、所望の間隔に保持することができる。なお、ラグ４６やラグ４７をエンドブロック２８上に設けることもできる。
【図面の簡単な説明】
【００１２】
【図１】静電画像乃至電子写真印刷装置の一部構成要素を示す概略立断面図である。
【図２】スコロトロン単体を示す図である。
【図３】一組立段階におけるスコロトロンの端部を示す斜視図である。
【図４】一組立段階におけるスコロトロンの端部を示す斜視図である。
【図５】コロナ部材の一端を取り出して示す図である。
【図６】カバーブロック単体を示す図である。
【図７】一組立段階におけるスコロトロンの端部を示す斜視図である。
【図８】一組立段階におけるスコロトロンの端部を示す斜視図である。
【図１】
2006039548.tif 000003
【図２】
2006039548.tif 000004
【図３】
2006039548.tif 000005
【図４】
2006039548.tif 000006
【図５】
2006039548.tif 000007
【図６】
2006039548.tif 000008
【図７】
2006039548.tif 000009
【図８】
2006039548.tif 000010